(57)【要約】【課題】光量の制御を容易にするとともに、装置を省電力化させ、ランニングコストを低減させる。【解決手段】インスタントフイルム１５に画像を転写するための光源として、キセノン放電管１４を用いる。多孔板１２とインスタントフイルム１５との間に、インスタントフイルム１５の記録面に照射される光の照射量を測定する光量センサ２０を設ける。光量センサ２０の受光面は、インスタントフイルム１５の記録面と平行に配置されている。光量センサ２０は制御部１３に接続され、制御部１３へ測定結果を送信する。制御部１３では、光量センサ２０の測定結果に基づいてキセノン放電管１４の出力を制御する。【選択図】　　　　図１
2004125974.tif 000002
【特許請求の範囲】
【請求項１】
光を照射する光源と、画像を表示する透過型の画像表示手段と、複数の貫通孔が設けられ、光源からの光を略平行光にして感光性記録媒体に照射する多孔板とからなり、画像表示手段に表示された画像を光源からの光を用いて感光性記録媒体に転写する転写装置において、
前記光源にキセノン放電管を用いたことを特徴とする転写装置。
【請求項２】
前記感光性記録媒体の記録面に照射される光の照射量を測定する光量センサを設け、光量センサの受光面が感光性記録媒体の記録面と平行になるように配置するとともに、
光量センサの測定結果に基づいて前記光源の出力を制御する制御手段を備えたことを特徴とする請求項１に記載の転写装置。
【発明の詳細な説明】
【０００１】
【発明の属する技術分野】
本発明は、光を照射する光源と、画像を表示する透過型の画像表示手段と、光源からの光を略平行光にして感光性記録媒体に照射する多孔板とからなり、画像表示手段に表示された画像を光源からの光を用いて感光性記録媒体に転写する転写装置に関する。
【０００２】
【従来の技術】
ＣＣＤイメージセンサなどの撮像素子で撮像された被写体画像をデジタルの画像データに変換し、この画像データをメモリカードや内蔵メモリなどの記憶媒体に記憶させるデジタルカメラが普及している。このようなデジタルカメラの中には、記憶媒体に保存されている画像データから所望の画像データをインスタントフイルムなどの感光性記録媒体にハードコピーし、インスタント写真をプリントするものがある。
【０００３】
上記のプリンタには、光を照射するプリント用光源と、複数の貫通孔が設けられ、光源からの光を略平行光とする多孔板と、カメラで撮影した被写体画像を表示する透過型の液晶表示器とからなる転写装置が用いられる。この転写装置は、液晶表示器で表示された画像を光源からの光を用いて感光性記録媒体に転写する（特許文献１〜３参照）。
【０００４】
【特許文献１】
特開２００２−１９６４２４号公報
【特許文献２】
特開２００２−１９６４２５号公報
【特許文献３】
特開２００２−１９６４２６号公報
【０００５】
【発明が解決しようとする課題】
上記公報に記載される転写装置では、光源として冷陰極管を使用しているが、多孔板を用いているため冷陰極管では充分な光量が得られず、画像を露光する時間が掛かっていた。また、図２に破線で示すように、冷陰極管は、発光開始から光量が安定するまでの時間が長い（応答性が悪い）ため、一定周期且つ所定の光量で発光させるパルス発光を行う場合、光量を制御することが困難であった。また、周囲の環境温度によって応答性が変化する（環境温度の低下に伴って応答性が悪くなる）ため、光量の温度補正が必要になる。さらに、投入電力に対するエネルギーの変換効率が低いため、消費電力が嵩むという問題があった。
【０００６】
本発明は、光量の制御を容易にするとともに、装置の省電力化、ランニングコストの低減に寄与することができる転写装置を提供することを目的とする。
【０００７】
【課題を解決するための手段】
上記目的を達成するために、本発明は、光を照射する光源と、画像を表示する透過型の画像表示手段と、複数の貫通孔が設けられ、光源からの光を略平行光にして感光性記録媒体に照射する多孔板とからなり、画像表示手段に表示された画像を光源からの光を用いて感光性記録媒体に転写する転写装置において、前記光源にキセノン放電管を用いたことを特徴とする。
【０００８】
なお、前記感光性記録媒体の記録面に照射される光の照射量を測定する光量センサを設け、光量センサの受光面が感光性記録媒体の記録面と平行になるように配置するとともに、光量センサの測定結果に基づいて前記光源の出力を制御する制御手段を備えることが好ましい。
【０００９】
【発明の実施の形態】
図１に、本発明を実施した転写装置の概略構成を示す。転写装置２は、バックライトユニット１０、液晶表示器（ＬＣＤ）１１、多孔板１２、制御部１３、およびキセノン放電管１４などからなる。バックライトユニット１０は、ＬＣＤ１１の背後からその全面に均一な光を照射するためのもので、ＬＣＤ１１の表示画面と略同一の発光面を有する面状光源である。このバックライトユニット１０は、キセノン放電管１４から照射された光を所定方向に導入する導光板と、導光板に導入された光を略直交する方向に反射させる反射シートと、反射された光を均一にする拡散シートやプリズムシートなどを有するバックライトアセンブリとからなる。キセノン放電管１４は、制御部１３に接続されており、一定周期且つ所定の光量でパルス発光する。なお、バックライトユニット１０としては、公知のＬＣＤ用バックライトユニットを用いることができる。
【００１０】
キセノン放電管１４は、冷陰極管と比べて発光強度が高く、多孔板１２を用いた場合でも充分な光量を得ることができる。したがって、画像の露光時間を短縮させることが可能である。また、キセノン放電管１４は、図２に実線で示すように、発光開始から光量が安定するまでの時間が冷陰極管と比べて短い（応答性が良い）ため、パルス発光を行う場合に光量および発光回数の制御が容易になる。また、投入電力に対するエネルギーの変換効率が冷陰極管よりも高いため、装置の省電力化に寄与することができる。さらに、発光特性が周囲の環境温度に影響されないので、光量の温度補正を行う必要がない。
【００１１】
ＬＣＤ１１は、デジタルカメラ、ビデオカメラ、パーソナルコンピュータなどから供給される所望の画像データを読み出して表示する透過型の画像表示手段である。このＬＣＤ１１は、液晶層の両側を、偏光フイルム、ガラス基板、および電極からなる層で挟んだ積層構造を有し、この他にブラックマトリクスやＲＧＢカラーフィルタ、配向膜などから形成される。
【００１２】
多孔板１２は、バックライトユニット１０からの光を略平行光にしてＬＣＤ１１に照射する。この多孔板１２は、所定厚みの矩形板に、所定サイズの円筒形の貫通孔１２ａを、所定ピッチで多数設けたものである。なお、多孔板１２の材質としては、アルミニウムなどの金属板やプラスチック樹脂板、カーボンなどを用いることができる。また、貫通孔１２ａの断面形状は、楕円形、多角形など適宜変更することが可能である。さらに、貫通孔１２ａの配列形状も、碁盤目状、千鳥格子状などを用いることができる。
【００１３】
転写装置２には、感光性記録媒体であるインスタントフイルム１５が積層して収納されたフイルムケース１６が装填される。インスタントフイルム１５には、例えばモノシートタイプのインスタント写真用フイルムが用いられる。このインスタントフイルム１５は、転写装置２の本体に設けられた押圧ピン１７によりＬＣＤ１１側に押し付けられる。フイルムケース１６には、ＬＣＤ１１に表示された画像を露光したインスタントフイルム１５が送り出される取り出し口１６ａが設けられている。この取り出し口１６ａから送り出されたインスタントフイルム１５は、現像液を封入された現像液ポッド（図示せず）が押し破られ、展開ローラ対１８により現像液を全体に展開された後、転写装置２の本体に設けられた排出口１９に排出される。
【００１４】
多孔板１２とインスタントフイルム１５との間には、インスタントフイルム１５の記録面に照射される光の照射量を測定する光量センサ２０が設けられている。光量センサ２０の受光面は、インスタントフイルム１５の記録面と平行に配置されている。この光量センサ２０は、制御部１３に接続されており、制御部１３へ測定結果を送信する。制御部１３では、光量センサ２０の測定結果に基づいてキセノン放電管１４の出力を制御する。すなわち、インスタントフイルム１５の記録面に照射される光の照射量の積分値が、露光に必要な光量に達したときに、キセノン放電管１４のパルス発光を終了させる。このようにすると、キセノン放電管１４の製造ロットによる光量の個体差を調整する作業が不要になる。また、インスタントフイルム１５の感度に対応して、キセノン放電管１４の光量を調節することも可能である。
【００１５】
次に、上記構成の作用について説明する。まず、プリントを希望する画像データをデジタルカメラなどから読み出し、ＬＣＤ１１に表示する。そして、制御部１３からプリント信号を送信してキセノン放電管１４を点灯し、ＬＣＤ１１に表示された画像をインスタントフイルム１５に露光する。このとき、光量センサ２０でインスタントフイルム１５の記録面に照射される光の照射量を測定し、この測定結果に基づいて、制御部１３でキセノン放電管１４の出力を制御する。
【００１６】
画像の露光後、展開ローラ対１８を駆動し、現像液をフイルム全体に展開して現像処理を施す。現像処理後のインスタントフイルム１５を、排出口１９から転写装置２の外部に排出する。
【００１７】
【発明の効果】
以上のように、本発明の転写装置によれば、感光性記録媒体に画像を転写するための光源にキセノン放電管を用いたので、パルス発光させた場合の光量および発光回数の制御が容易になるとともに、装置の省電力化、ランニングコストの低減に寄与することができる。
【００１８】
また、キセノン放電管から照射される光の分光特性は、太陽光に近似した広範囲な波長域を有するため、ＬＣＤのＲＧＢカラーフィルタによって所望の波長を有する光を感光性記録媒体に照射することを容易にすることができる。
【図面の簡単な説明】
【図１】本発明を実施した転写装置の概略図である。
【図２】冷陰極管およびキセノン放電管の発光特性を示す図である。
【符号の説明】
２　転写装置
１０　バックライトユニット
１１　液晶表示器（ＬＣＤ）
１２　多孔板
１３　制御部
１４　キセノン放電管
１５　インスタントフイルム
【図１】
2004125974.tif 000003
【図２】
2004125974.tif 000004